(57)【特許請求の範囲】
【請求項１】
建物の屋根の屋根面を構成する上壁部と、当該上壁部の周縁部に設けられ、当該建物の外壁の上端部に沿ってかつ当該上端部を屋外側から覆うように延在し、当該上端部と間隔をあけて配置された側壁部と、を含んで構成された屋根板材と、
前記側壁部と前記上端部との間に配置され、前記建物の屋根裏側と屋外側とを連通する連通部が形成された通気胴縁と、
一端部が前記上壁部の屋内側の面に対して固定され、他端部が前記通気胴縁の屋外側の面に接着された防水シートと、
を有し、
前記側壁部は、当該側壁部の下端部側が前記外壁側に折り返されて構成されたヘミング部を備えており、当該ヘミング部の上端部は、前記通気胴縁の上面よりも建物上方側に位置している、
建物の通気構造。
【請求項２】
前記一端部は、前記屋根を構成しかつ前記上壁部の建物下方側に配置された屋根部材と当該上壁部とによって挟持されている、
請求項１に記載の建物の通気構造。
【請求項３】
前記防水シートは、前記屋根部材の周縁部における隅部を屋外側から覆うと共に他端部が前記通気胴縁の屋内側の面に接着された内側防水シートと、当該周縁部における直線部を屋外側から覆うと共に屋外側から見て当該内側防水シートと重なるように配置され、他端部が当該通気胴縁の屋外側の面に接着された外側防水シートと、を含んで構成されている、
請求項２に記載の建物の通気構造。
【請求項４】
建物の屋根の屋根面を構成する上壁部と、当該上壁部の周縁部に設けられ、当該建物の外壁の上端部に沿ってかつ当該上端部を屋外側から覆うように延在し、当該上端部と間隔をあけて配置された側壁部と、を含んで構成された屋根板材と、
前記側壁部と前記上端部との間に配置され、前記建物の屋根裏側と屋外側とを連通する連通部が形成された通気胴縁と、
一端部が前記上壁部の屋内側の面に対して固定され、他端部が前記通気胴縁の屋外側の面に接着された防水シートと、
を有し、
前記一端部は、前記屋根を構成しかつ前記上壁部の建物下方側に配置された屋根部材と当該上壁部とによって挟持されており、
前記防水シートは、前記屋根部材の周縁部における隅部を屋外側から覆うと共に他端部が前記通気胴縁の屋内側の面に接着された内側防水シートと、当該周縁部における直線部を屋外側から覆うと共に屋外側から見て当該内側防水シートと重なるように配置され、他端部が当該通気胴縁の屋外側の面に接着された外側防水シートと、を含んで構成されている、
建物の通気構造。
【請求項５】
前記内側防水シートは、前記隅部の形状に合わせて成形された成形品である、
請求項３又は請求項４に記載の建物の通気構造。
【請求項６】
前記側壁部には、当該側壁部と前記外壁とを含んで構成されると共に屋根裏側への通気が可能な通気部よりも建物上方側に水切り部が設けられている、
請求項１〜請求項５の何れか１項に記載の建物の通気構造。
【請求項７】
前記屋根は、陸屋根とされると共に、前記側壁部の長手方向に沿って軒樋が設けられている、
請求項６に記載の建物の通気構造。
【発明の詳細な説明】
【技術分野】
【０００１】
本発明は、建物の通気構造に関する。
【背景技術】
【０００２】
下記特許文献１には、建物の通気構造に関する発明が開示されている。この建物の通気構造では、外壁材と鋼板役物（屋根板材）の側壁部との間に通気胴縁が配置されている。このため、通気胴縁によって屋外側と屋根裏側と連通する通気経路が形成され、屋根裏の換気を行うことができる。
【先行技術文献】
【特許文献】
【０００３】
【特許文献１】特開２０１３−０５７２１３号公報（図１）
【発明の概要】
【発明が解決しようとする課題】
【０００４】
しかしながら、上記特許文献１に開示された建物の通気構造では、鋼板役物の側壁部及び通気胴縁が共通のタッピンネジで外壁材に固定されており、側壁部と通気胴縁とは当接されているものの、これらの部材は互いに密着していない状態となっている。このため、鋼板役物と通気胴縁との隙間から屋根裏側への水の浸入に対しては改善の余地があった。
【０００５】
本発明は上記事実を考慮し、屋外側と屋根裏側との通気性を確保しつつ屋根板材と通気胴縁との隙間から屋根裏側への水の浸入を抑制することができる建物の通気構造を得ることが目的である。
【課題を解決するための手段】
【０００６】
第１の態様に係る建物の通気構造は、建物の屋根の屋根面を構成する上壁部と、当該上壁部の周縁部に設けられ、当該建物の外壁の上端部に沿ってかつ当該上端部を屋外側から覆うように延在し、当該上端部と間隔をあけて配置された側壁部と、を含んで構成された屋根板材と、前記側壁部と前記上端部との間に配置され、前記建物の屋根裏側と屋外側とを連通する連通部が形成された通気胴縁と、一端部が前記上壁部の屋内側の面に対して固定され、他端部が前記通気胴縁の屋外側の面に接着された防水シートと、を有している。
【０００７】
第１の態様に係る建物の通気構造では、屋根板材が建物の屋根の屋根面を構成する上壁部と当該上壁部の周縁部に設けられた側壁部とを含んで構成されており、建物の屋根裏に空間が確保される。また、屋根板材の側壁部は、建物の外壁の上端部に沿ってかつ当該上端部を屋外側から覆うように延在すると共に、当該上端部と間隔をあけて配置されている。そして、屋根板材の側壁部と建物の外壁の上端部との間には、通気胴縁が配置されており、当該通気胴縁に形成された連通部によって建物の屋根裏側と屋外側とが連通されている。このため、建物の屋根裏側と屋外側とを通気し、屋根裏の空間を換気することができる。
【０００８】
ところで、通気胴縁と屋根板材の側壁部との間に隙間が生じた場合、当該隙間から屋根裏側へと水が浸入することが考えられる。
【０００９】
ここで、本態様では、防水シートの一端部が屋根板材の上壁部における屋内側の面に対して固定され、防水シートの他端部が通気胴縁の屋外側の面に接着されている。このため、通気胴縁と屋根板材の側壁部との間に隙間が生じても、当該隙間を防水シートの他端部によって塞ぐことができる。また、通気胴縁と屋根板材の側壁部との隙間を防水シートによって完全に塞ぐことができなくとも、当該隙間から浸入する水は屋根裏に浸入する前に防水シートによって遮られる。しかも、防水シートの他端部は、通気胴縁の屋外側の面に接着されることで当該面と密着しており、防水シートと通気胴縁との接着部に吹き付ける水も遮ることができる。
【００１０】
第２の態様に係る建物の通気構造は、第１の態様に係る建物の通気構造おいて、前記他端部は、前記通気胴縁の屋外側の面の建物下方側の端部で終端している。
【００１１】
第２の態様に係る建物の通気構造では、防水シートの他端部が通気胴縁の屋外側の面の建物下方側の端部で終端している。このため、防水シートの他端部が通気胴縁の屋外側の面の建物下方側の端部よりも建物上方側で終端している場合と比し、防水シートと通気胴縁との接着面積を確保することができる。また、防水シートに、通気胴縁の屋外側の面の建物下方側の端部よりも建物下方側に延出された余長部が設定された場合、当該余長部に水や風が吹き付けることで防水シートと通気胴縁との接着状態が維持できなくなることが考えられる。しかしながら、上記構成の本態様では、水や風の影響によることなく、安定して防水シートと通気胴縁との接着状態を維持することができる。
【００１２】
第３の態様に係る建物の通気構造は、第１の態様又は第２の態様に係る建物の通気構造において、前記一端部は、前記屋根を構成しかつ前記上壁部の建物下方側に配置された屋根部材と当該上壁部とによって挟持されている。
【００１３】
第３の態様に係る建物の通気構造では、防水シートの一端部が屋根板材の上壁部と屋根部材とに挟持されることで、当該一端部が当該上壁部に密着している。
【００１４】
第４の態様に係る建物の通気構造は、第３の態様に係る建物の通気構造において、前記防水シートは、前記屋根部材の周縁部における隅部を屋外側から覆うと共に他端部が前記通気胴縁の屋内側の面に接着された内側防水シートと、当該周縁部における直線部を屋外側から覆うと共に屋外側から見て当該内側防水シートと重なるように配置され、他端部が当該通気胴縁の屋外側の面に接着された外側防水シートと、を含んで構成されている。
【００１５】
第４の態様に係る建物の通気構造では、屋根部材の周縁部における隅部が内側防水シートで覆われることで、当該隅部に吹き溜まりが生じても、当該隅部から屋根裏への水の浸入が抑制される。また、屋根部材の周縁部における直線部が外側防水シートで覆われると共に、当該外側防水シートが屋外側から見て当該内側防水シートと重なるように配置されることで、通気胴縁による通気性が確保される。
【００１６】
第５の態様に係る建物の通気構造は、第４の態様に係る建物の通気構造おいて、記内側防水シートは、前記隅部の形状に合わせて成形された成形品である。
【００１７】
第５の態様に係る建物の通気構造では、内側防水シートが成形品とされており、当該内側防水シートの形状を屋根部材の隅部の形状に対応させることができる。
【００１８】
第６の態様に係る建物の通気構造は、第１の態様〜第５の態様の何れか１態様に係る建物の通気構造において、前記側壁部には、当該側壁部と前記外壁とを含んで構成されると共に屋根裏側への通気が可能な通気部よりも建物上方側に水切り部が設けられている。
【００１９】
第６の態様に係る建物の通気構造では、屋根の上方側から屋根板材の側壁部に流れる水が水切り部を伝って流れ、当該水切り部の建物下方側に設けられた通気部から水が浸入するのを抑制することができる。
【００２０】
第７の態様に係る建物の通気構造は、第６の態様に係る建物の通気構造において、前記屋根は、陸屋根とされると共に、前記側壁部の長手方向に沿って軒樋が設けられている。
【００２１】
第７の態様に係る建物の通気構造では、陸屋根を構成する屋根板における側壁部の長手方向に沿って軒樋が設けられており、建物の意匠性を損なうことなく、屋根の上方側から水切り部を伝って流れる水を排水することができる。
【発明の効果】
【００２２】
以上説明したように、第１の態様に係る建物の通気構造では、屋外側と屋根裏側との通気性を確保しつつ屋根板材と通気胴縁との隙間から屋根裏側への水の浸入を抑制することができるという優れた効果を有する。
【００２３】
第２の態様に係る建物の通気構造では、防水シートと通気胴縁との接着状態を担保することができるという優れた効果を有する。
【００２４】
第３の態様に係る建物の通気構造では、屋根裏における建物上方側に水が浸入することを抑制することができるという優れた効果を有する。
【００２５】
第４の態様に係る建物の通気構造では、屋根の形状に対応して、屋根裏の防水性の確保と屋根裏の通気性の確保との両立を図ることができるという優れた効果を有する。
【００２６】
第５の態様に係る建物の通気構造では、屋根の隅部において屋根裏の防水性を向上させることができるという優れた効果を有する。
【００２７】
第６の態様に係る建物の通気構造では、建物上方側から流れてくる水の屋根裏側への浸入を抑制することができるという優れた効果を有する。
【００２８】
第７の態様に係る建物の通気構造では、建物の意匠性の確保と建物上方側から流れてくる水の屋根裏側への浸入の抑制との両立を図ることができるという優れた効果を有する。
【図面の簡単な説明】
【００２９】
【図１】本実施形態に係る建物の通気構造を示す拡大断面図（図１０の破線Ｘで囲まれた部分の拡大図）である。
【図２】（Ａ）は、本実施形態に係る建物の通気構造の屋根側の納まりを示す拡大断面図（図１の破線Ｙで囲まれた部分の拡大図）であり、（Ｂ）は、本実施形態に係る建物の通気構造の外壁側の納まりを示す拡大断面図（図１の破線Ｚで囲まれた部分の拡大図）である。
【図３】本実施形態に係り、屋根部材の隅部における防水シートの納まりを示す斜視図である。
【図４】本実施形態に係り、通気胴縁の納まりを示す斜視図である。
【図５】本実施形態に係り、屋根部材の直線部における防水シートの納まりを示す拡大斜視図である。
【図６】本実施形態に係り、屋根部材の出隅部における防水シートの納まりの詳細を示す斜視図である。
【図７】本実施形態に係り、屋根部材の入隅部における防水シートの納まりの詳細を示す斜視図である。
【図８】本実施形態に係り、屋根部材の隅部における防水シートの配置を示す断面図（図５の８−８線に沿って切断した状態を示す断面図）である。
【図９】本実施形態に係り、屋根部材の直線部における防水シートの継部を示す拡大斜視図である。
【図１０】本実施形態に係る建物の通気構造を示す断面図（図１１の１０−１０線に沿って切断した状態を示す断面図）である。
【図１１】本実施形態に係る建物の通気構造が適用された建物を示す斜視図である。
【発明を実施するための形態】
【００３０】
以下、図１〜図１１を用いて、本発明に係る建物の通気構造が適用された建物の一例について説明する。
【００３１】
まず、本実施形態に係る建物１０の全体構造について説明する。図１１に示されるように、建物１０は、基礎１２上に建物ユニット１４、１６を含む複数個の建物ユニットが据え付けられて、その下階側が構成されている。そして、これらの下階側の建物ユニット上に建物ユニット１８、２０を含む複数個の建物ユニットが据え付けられることにより、建物１０の上階側が構成されている。
【００３２】
建物ユニット１８を例にとって図示しない建物ユニット躯体の構成について説明すると、建物ユニット躯体は、四隅に立設された柱と、柱の上端部同士を連結する天井フレームと、柱の下端部同士を連結する床フレームと、によって略箱状に構成されている。天井フレームは、各々溝形鋼によって構成された長短二種類の天井大梁によって梯子状に構成されている。一方、床フレームも天井フレームと同様の構成とされており、長短二種類の溝形鋼が梯子状に配置されて構成されている。そして、床フレーム及び天井フレームには、外壁パネル２４が建物１０の外周面に沿って並べて取り付けられており、建物１０の外壁２２の一部を構成している。
【００３３】
図１０に示されるように、外壁パネル２４は、矩形平板状の外壁材２６が、外壁フレーム３０に図示しないビス等によって取り付けられて構成されている。また、外壁材２６の上端部２６Ａは、外壁材２６の一般部２６Ｂに対して薄肉化されており、見方を変えれば、外壁材２６の上端部２６Ａには当該外壁材２６の一般部２６Ｂにおける意匠面２６Ｂ１に対して屋内側へ凹んだ段差が形成されている。なお、以下では、この段差が形成された部分を「凹部２８」と称する。なお、凹部２８の建物上下方向に沿う面は、後述する通気胴縁５６が取り付けられる取付面２８Ａとなっている。
【００３４】
一方、外壁フレーム３０は、溝型鋼によって形成された横桟３２及び縦桟３４を含んで矩形枠状又は梯子状に構成されている。そして、外壁フレーム３０は、その建物上方側が図示しない天井大梁に、その建物下方側が図示しない床大梁にそれぞれ図示しないボルト等によって固定されている。また、外壁フレーム３０の建物上方側が固定された天井大梁には、図示しない屋根フレームが取り付けられており、当該屋根フレームによって建物１０の屋根部３６が支持されている。
【００３５】
屋根部３６は、屋根板材としての鋼板役物３８と屋根部材としての野地板４０及び断熱材４２とを含んで構成されている。この屋根部３６は、屋根面４４が傾斜の無い平面状とされた所謂陸屋根として構成されている。なお、ここでいう傾斜の無い平面状には、水勾配が確保できる程度に傾斜した平面状も含まれる。
【００３６】
野地板４０は、屋根フレームの建物上方側に配置されると共に、合板やＡＬＣ（軽量コンクリート）等により形成されている。また、断熱材４２は、野地板４０の建物上方側に面する上面部４０Ａに配置されると共に、ポリスチレンフォーム等の発泡性の樹脂により形成されており、建物１０の屋内側の結露を抑制する機能を備えている。
【００３７】
そして、鋼板役物３８は、建物１０の屋根面４４を構成する上壁部３８Ａと、当該上壁部３８Ａの周縁部に当該上壁部３８Ａと一体に設けられた側壁部３８Ｂとを含んで、ＤＮ鋼板によって構成されている。より詳しくは、鋼板役物３８の上壁部３８Ａは、建物桁方向及び建物妻方向に延在しており、断熱材４２の建物上方側に面する上面部４２Ａに配置されている。なお、屋根面４４の中央部は、図示しないＤＮシートで構成されている。つまり、屋根面４４全体として見ると、鋼板役物３８の上壁部３８Ａは、屋根面４４の外周部を構成している。
【００３８】
一方、側壁部３８Ｂは、上壁部３８Ａの周縁部から建物下方側に屈曲されると共に、外壁材２６の上端部２６Ａ（外壁２２の上端部２２Ａ）に沿ってかつ当該上端部２６Ａを屋外側から覆うように延在し、当該上端部２６Ａと間隔をあけて配置されている。また、側壁部３８Ｂの下端部３８Ｂ１は、図１にも示されるように、屋外側から見て、側壁部３８Ｂで外壁材２６の凹部２８を覆うのに十分な位置まで達すると共に、側壁部３８Ｂは下端部３８Ｂ１において外壁２２側に重なるように折り返されている。なお、以下では、側壁部３８Ｂにおける外壁２２側に折り返された部分を「ヘミング部３８Ｂ２」と称する。また、鋼板役物３８及び屋根面４４を構成するＤＮシートで覆われた空間のうち、外壁２２よりも屋内側の部分を「屋根裏４６」と称する。そして、鋼板役物３８の側壁部３８Ｂの屋外側には、軒樋４８が配置されている。
【００３９】
軒樋４８は、外壁パネル２４の幅方向から見て建物上方側が開放されたＵ字形状に形成されると共に当該幅方向に延在しており、後述する水切り５４の水切り部５４Ａから流れてくる水を受けるようになっている。また、軒樋４８の底部４８Ａには、図示しない貫通部が形成されており、当該貫通部には、縦樋５０が接続されている。これにより、軒樋４８に流れこんだ水は、縦樋５０に流入して建物下方側に流れていくようになっている。なお、軒樋４８は、軒樋４８の長手方向の複数箇所に配置されると共に、図示しないビス等によって外壁パネル２４に固定された吊具５２によって保持されている。
【００４０】
ここで、本実施形態では、一例として、水切り５４、通気胴縁５６、外側防水シート６０及び内側防水シート６２を含んで、建物の通気構造が構成されている。以下、本発明の要部である建物の通気構造の構成の一例について詳細に説明する。
【００４１】
まず、引き続き図１０を用いて水切り５４の構成について説明する。水切り５４は、水切り部５４Ａ、覆い部５４Ｂ及び延出部５４Ｃを含んで、アルミニウム等の板材により形成されている。この水切り５４は、鋼板役物３８の側壁部３８Ｂの屋外側に軒樋４８よりも建物上方側に配置されるように取り付けられている。詳しくは、覆い部５４Ｂは、建物上下方向に沿う平板状に形成されており、鋼板役物３８の側壁部３８Ｂ及び通気胴縁５６等と共に屋外側から螺入されたタッピンネジ６４によって外壁パネル２４に取り付けられている。そして、覆い部５４Ｂの上端部５４Ｂ１には、水切り部５４Ａが設けられている。
【００４２】
水切り部５４Ａは、覆い部５４Ｂの上端部５４Ｂ１から屋外側へ向かうに従い建物下方側に傾斜するように形成されると共に、その先端部が建物下方側に向かって延出している。これにより、屋根部３６から流れてきた水が、水切り部５４Ａに沿って流れ、上述した軒樋４８に流下するようになっている。
【００４３】
一方、図１に示されるように、覆い部５４Ｂの下端部５４Ｂ２は、側壁部３８Ｂの下端部３８Ｂ１まで達しており、側壁部３８Ｂは、その建物上方側の一部を除いて、屋外側から覆い部５４Ｂによって覆われている。また、覆い部５４Ｂの下端部５４Ｂ２には、屋内側、より具体的には、外壁材２６の取付面２８Ａの下端部に向かって延出された平板状の延出部５４Ｃが形成されている。さらに、延出部５４Ｃの先端部と凹部２８の取付面２８Ａとの間には、所定の隙間があけられるように設定されており、当該隙間が屋外側から屋根裏４６側に通じる通気部としての通気口６６とされている。なお、延出部５４Ｃの先端部は、建物上方側に重なるように折り返されて形成されている。
【００４４】
通気胴縁５６は、角柱状の樹脂材で構成されると共に、鋼板役物３８の側壁部３８Ｂと外壁材２６の取付面２８Ａとの間に配置されている。詳しくは、通気胴縁５６の屋内側に面する内面部５６Ａは、外壁材２６の取付面２８Ａにエプトシーラー６８（登録商標）等を介して接着されている。一方、通気胴縁５６の屋外側に面する外面部５６Ｂには、後述するように外側防水シート６０が接着されており、当該外側防水シート６０の屋外側には、鋼板役物３８の側壁部３８Ｂが配置されている。そして、上述したように、通気胴縁５６は、鋼板役物３８の側壁部３８Ｂ及び水切り５４等と共にタッピンネジ６４によって外壁パネル２４に取り付けられている。なお、通気胴縁５６は、鋼板役物３８の側壁部３８Ｂの屋外側からタッピンネジ６４が螺入されることで、外側防水シート６０を介して当該側壁部３８Ｂと当接した状態となっている。
【００４５】
また、通気胴縁５６の外面部５６Ｂには、連通部としての通気溝５８が建物上下方向に沿って設けられており、当該通気溝５８の断面形状は、建物上下方向に見て、鋼板役物３８の側壁部３８Ｂ側が開放された半円形状とされている。そして、通気胴縁５６の通気溝５８によって通気胴縁５６の建物上方側（屋根裏４６側）の空間と通気胴縁５６の建物下方側（屋外側）の空間とが連通されている。さらに、通気溝５８の建物下方側には、上述した水切り５４の延出部５４Ｃが配置されており、建物下方側から見て延出部５４Ｃによって通気溝５８が覆われるようになっている。
【００４６】
なお、通気胴縁５６は、一例として、その建物上下方向の長さＬが３０ｍｍに設定されると共に、その建物上方側に面する上面部５６Ｃと外壁材２６の上端部２６Ａの先端との距離Ｓが１０ｍｍに設定されている。つまり、通気胴縁５６の建物上下方向の長さＬと上面部５６Ｃと上端部２６Ａの先端との距離Ｓの比が、Ｌ：Ｓ＝３：１に設定されている。上記構成によれば、通気胴縁５６及び外壁材２６の上端部２６Ａの寸法の拡大を抑制しつつ、通気胴縁５６の通気溝５８から屋根裏４６側への水の浸入を抑制することが可能となっている。具体的には、通気胴縁５６の建物下方側から水が吹き付けても、この水は通気胴縁５６の通気溝５８内に付着し、水の屋根裏４６側への浸入が抑制されるようになっている。また、水が通気溝５８を通過しても、外壁材２６の上端部２６Ａによって水の屋根裏４６側への浸入が抑制されるようになっている。
【００４７】
一方、上述した鋼板役物３８のヘミング部３８Ｂ２は、通気胴縁５６の上面部５６Ｃよりも建物上方側に延びており、鋼板役物３８の加工精度に関わらず、ヘミング部３８Ｂ２が通気胴縁５６の通気溝５８の建物下方側に配置されないようになっている。つまり、鋼板役物３８は、ヘミング部３８Ｂ２で通気胴縁５６の通気溝５８を塞ぐことがないように構成されている。
【００４８】
次に、図２〜図９を主に用いて、内側防水シート６２及び外側防水シート６０の構成について説明する。これらの図に示されるように、外側防水シート６０及び内側防水シート６２は、それぞれＣＲシート等から成るゴム材又はゴム様発泡弾性体によって、弾性変形可能に構成されている。また、図３及び図５に示されるように、外側防水シート６０は屋根部３６の周縁部における直線部３６Ａに、内側防水シート６２は屋根部３６の周縁部における直角状の出隅部３６Ｂにそれぞれ配置されている。なお、図１１に示されるように、本実施形態では、屋根部３６の周縁部に入隅部が設定されていないが、図４、図５及び図８には、説明の便宜上、屋根部３６の直角状の入隅部３６Ｃを示し、入隅部３６Ｃに配置される内側防水シート７０についても、併せて説明していくこととする。
【００４９】
図５に示されるように、外側防水シート６０は、平面視で矩形の帯状に形成されて、断熱材４２の周縁部における直線部４２Ｂ、すなわち断熱材４２における屋根部３６の直線部３６Ａを構成する部分に沿って配置されている。この外側防水シート６０は、断熱材４２の直線部４２Ｂにおいて、断熱材４２の上面部４２Ａから通気胴縁５６にかけてを屋外側から覆っており、図１にも示されるように、その建物上方側の一端部６０Ａが鋼板役物３８の上壁部３８Ａの屋内側の面に対して固定されている。一方、外側防水シート６０の建物下方側の他端部６０Ｂは、通気胴縁５６に固定されている。
【００５０】
詳しくは、図２（Ａ）に示されるように、外側防水シート６０の一端部６０Ａは、その建物下方側の面が両面テープ７２を介して断熱材４２の上面部４２Ａに接着されている。一方、外側防水シート６０の一端部６０Ａにおける建物上方側の面は、ＥＰＤＭ等のゴム発泡体で構成されたシール材７４を介して鋼板役物３８の上壁部３８Ａにおける屋内側の面に密着した状態となっている。つまり、外側防水シート６０の一端部６０Ａは、断熱材４２と上壁部３８Ａとに部材を介して挟持された状態となっている。
【００５１】
また、図２（Ｂ）に示されるように、外側防水シート６０の他端部６０Ｂは、その屋内側の面が、通気胴縁５６の外面部５６Ｂにブチルテープ７６等を介して接着されている。一方、外側防水シート６０の他端部６０Ｂにおける屋外側の面は、上述の如く鋼板役物３８の側壁部３８Ｂが外壁パネル２４に取り付けられることで、当該側壁部３８Ｂに密着した状態となっている。なお、図１に示されるように、外側防水シート６０の他端部６０Ｂの先端の位置と通気胴縁５６の外面部５６Ｂの建物下方側の端部の位置とは一致しており、換言すれば、外側防水シート６０の他端部６０Ｂは、通気胴縁５６の外面部５６Ｂの建物下方側の端部で終端している。
【００５２】
一方、図３及び図６に示されるように、内側防水シート６２は、断熱材４２の周縁部における直角状の出隅部４２Ｃ、すなわち断熱材４２における屋根部３６の出隅部３６Ｂを構成する部分に配置されている。この内側防水シート６２は、建物上方側に面する上面部６２Ａと当該上面部６２Ａと一体に設けられた２つの側面部６２Ｂと含んで構成された成形品とされている。詳しくは、上面部６２Ａは、正方形の１つの隅部が当該正方形よりも小さい正方形状に切り欠かれた凹六角形の板状に形成されており、側面部６２Ｂは、上面部６２Ａの最も長い２辺からそれぞれ建物下方側に延出された矩形板状に形成されている。そして、内側防水シート６２は、上面部６２Ａの建物下方側の面が、２本のブチルテープ７８を介して断熱材４２の上面部４２Ａに接着されることで固定されている。
【００５３】
詳しくは、図６に示されるように、ブチルテープ７８は、その長さが上面部６２Ａの最も長い２辺と同じ長さに設定されると共に、上面部６２Ａにおける当該２辺と平行な屋内側の２辺に沿って貼り付けられている。なお、２本のブチルテープ７８における屋根部３６の出隅部３６Ｂ側の端部は、重なった状態となっている。
【００５４】
また、図６に示されるように、内側防水シート６２の側面部６２Ｂは、その下端部６２Ｂ１が外壁材２６の取付面２８Ａの下端部に対して建物上方側にオフセットされた状態で、当該下端部６２Ｂ１の屋内側の面が当該取付面２８Ａに面接触された状態となっている。なお、内側防水シート６２の側面部６２Ｂにおける下端部６２Ｂ１の屋外側の面は、図８に示されるように、通気胴縁５６の内面部５６Ａに接触している。上記のように内側防水シート６２が構成されることで、断熱材４２の出隅部４２Ｃにおいて、断熱材４２の上面部４２Ａから通気胴縁５６の屋内側にかけてが内側防水シート６２によって屋外側から覆われている。
【００５５】
一方、図３に示されるように、内側防水シート７０は、断熱材４２の周縁部における直角状の入隅部４２Ｄ、すなわち断熱材４２における屋根部３６の入隅部３６Ｃを構成する部分に配置される。この内側防水シート７０は、内側防水シート６２と同様に、建物上方側に面する上面部７０Ａと当該上面部７０Ａと一体に設けられた２つの側面部７０Ｂと含んで構成された成形品とされている。詳しくは、図７に示されるように、上面部７０Ａは、上面部６２Ａと同様に、正方形の一部が切り欠かれた凹六角形の板状に形成されており、側面部７０Ｂは、上面部６２Ａの最も長い２辺と平行な２辺からそれぞれ建物下方側に延出された矩形板状に形成されている。そして、内側防水シート７０は、上面部６２Ａの建物下方側の面が、２本のブチルテープ８０、８２を介して断熱材４２の上面部４２Ａに接着されることで固定されている。
【００５６】
詳しくは、ブチルテープ８０は、その長さが上面部７０Ａの最も長い２辺と同じ長さに設定されると共に、上面部７０Ａにおける当該２辺の何れか一方に沿って貼り付けられている。一方、ブチルテープ８２は、その長さが上面部６２Ａの最も長い２辺の長さからブチルテープ８０の幅分だけ短い長さに設定されると共に、ブチルテープ８０と重ならないように、上面部７０Ａにおける当該２辺の何れか他方に沿って貼り付けられている。
【００５７】
また、図７に示されるように、内側防水シート７０の側面部７０Ｂは、その下端部７０Ｂ１が外壁材２６の取付面２８Ａの下端部に対して建物上方側にオフセットされた状態で当該取付面２８Ａに面接触された状態となっている。また、内側防水シート７０の側面部７０Ｂにおける下端部７０Ｂ１は、内側防水シート６２と同様に、その屋内側の面が外壁材２６の取付面２８Ａに接触している。一方、図示はしていないが、内側防水シート７０の下端部７０Ｂ１の屋外側の面は、通気胴縁５６の内面部５６Ａに接触している。上記のように内側防水シート７０が構成されることで、断熱材４２の入隅部４２Ｄにおいて、断熱材４２の上面部４２Ａから通気胴縁５６の屋内側にかけてが内側防水シート６２によって屋外側から覆われている。
【００５８】
次に、図３〜図５を用いて、上記構成の建物の通気構造における通気胴縁５６、外側防水シート６０及び内側防水シート６２、７０の設置工程の一例について説明していくこととする。
【００５９】
まず、第１の工程として、図３に示されるように、断熱材４２の出隅部４２Ｃにブチルテープ７８を用いて内側防水シート６２を固定すると共に、断熱材４２の入隅部４２Ｄにブチルテープ８０、８２を用いて内側防水シート７０を固定する。
【００６０】
次に、第２の工程として、図４に示されるように、外壁材２６の取付面２８Ａにエプトシーラー６８を用いて通気胴縁５６を固定する。このとき、内側防水シート６２の下端部６２Ｂ１及び内側防水シート７０の下端部７０Ｂ１は、通気胴縁５６と外壁材２６の取付面２８Ａとに挟持された状態となる。また、通気胴縁５６同士の継部は、ＥＰＤＭ等のゴム発泡体で構成された四角柱状のシール材８４によって接続されている。なお、図８に示されるように、内側防水シート６２の下端部６２Ｂ１の先端の位置と通気胴縁５６の内面部５６Ａの建物下方側の端部の位置とが一致するように位置合わせされている。また、図示はしていないが、内側防水シート７０の下端部７０Ｂ１も、内側防水シート６２の下端部６２Ｂ１と同様に、その先端の位置が通気胴縁５６の内面部５６Ａの建物下方側の端部の位置と一致している。
【００６１】
次に、第３の工程として、図５に示されるように、通気胴縁５６、野地板４０及び断熱材４２の屋外側から、断熱材４２の直線部４２Ｂに外側防水シート６０を被せる。このとき、外側防水シート６０によって、一部を除いて内側防水シート６２、７０も覆われており、換言すれば、屋外側から見て外側防水シート６０は、内側防水シート６２、７０と重なるように配置されている。そして、外側防水シート６０の一端部６０Ａを両面テープ７２で断熱材４２の上面部４２Ａに固定し、外側防水シート６０の他端部６０Ｂをブチルテープ７６で通気胴縁５６に固定する。そして、上記工程を経て、通気胴縁５６、外側防水シート６０及び内側防水シート６２が設置された建物の通気構造では、図８に示されるように、断熱材４２の出隅部４２Ｃにおいて、通気胴縁５６が外側防水シート６０と内側防水シート６２とに挟持された状態となっている。なお、図示はしないが、断熱材４２の入隅部４２Ｄでは、通気胴縁５６が外側防水シート６０と内側防水シート７０とに挟持された状態となっている。
【００６２】
また、外側防水シート６０の長さが足りない場合には、図９に示されるように、外側防水シート６０は、その長手方向の端部同士がブチルテープ８６で接続されて用いられる。このとき、ブチルテープ８６の長さは、両面テープ７２と重ならないように調整されている。
【００６３】
＜本実施形態の作用及び効果＞
次に、本実施形態の作用並びに効果を説明する。
【００６４】
本実施形態では、図１に示されるように、鋼板役物３８が建物１０の屋根面４４を構成する上壁部３８Ａと上壁部３８Ａの周縁部に設けられた側壁部３８Ｂとを含んで構成されており、建物１０に屋根裏４６が確保される。また、鋼板役物３８の側壁部３８Ｂは、建物１０の外壁２２の上端部２２Ａに沿ってかつ上端部２２Ａを屋外側から覆うように延在すると共に、上端部２２Ａと間隔をあけて配置されている。そして、鋼板役物３８の側壁部３８Ｂと建物１０の外壁２２の上端部２２Ａとの間には、通気胴縁５６が配置されており、当該通気胴縁５６に形成された通気溝５８によって建物１０の屋根裏４６側と屋外側とが連通されている。このため、建物１０の屋根裏４６側と屋外側とを通気し、屋根裏４６を換気することができる。
【００６５】
ところで、通気胴縁５６と鋼板役物３８の側壁部３８Ｂとの間に隙間が生じた場合、当該隙間から屋根裏４６側へと水が浸入することが考えられる。
【００６６】
ここで、本実施形態では、外側防水シート６０の一端部６０Ａが鋼板役物３８の上壁部３８Ａにおける屋内側の面に対して固定され、外側防水シート６０の他端部６０Ｂが通気胴縁５６の屋外側の外面部５６Ｂに接着されている。このため、通気胴縁５６と鋼板役物３８の側壁部３８Ｂとの間に隙間が生じても、当該隙間を外側防水シート６０の他端部６０Ｂによって塞ぐことができる。また、通気胴縁５６と鋼板役物３８の側壁部３８Ｂとの隙間を外側防水シート６０によって完全に塞ぐことができなくとも、当該隙間から浸入する水は屋根裏４６に浸入する前に外側防水シート６０によって遮られる。しかも、外側防水シート６０の他端部６０Ｂは、通気胴縁の外面部５６Ｂに接着されることで当該外面部５６Ｂと密着しており、外側防水シート６０と通気胴縁５６との接着部に吹き付ける水も遮ることができる。このように、本実施形態では、屋外側と屋根裏４６側との通気性を確保しつつ鋼板役物３８と通気胴縁５６との隙間から屋根裏４６側への水の浸入を抑制することができる。
【００６７】
また、本実施形態では、外側防水シート６０の他端部６０Ｂが通気胴縁５６の外面部５６Ｂの建物下方側の端部で終端している。このため、外側防水シート６０の他端部６０Ｂが通気胴縁５６の外面部５６Ｂの建物下方側の端部よりも建物上方側で終端している場合と比し、外側防水シート６０と通気胴縁５６との接着面積を確保することができる。また、外側防水シート６０、通気胴縁５６の外面部５６Ｂの建物下方側の端部よりも建物下方側に延出された余長部が設定された場合、当該余長部に水や風が吹き付けることで外側防水シート６０と通気胴縁５６との接着状態が維持できなくなることが考えられる。しかしながら、上記構成の本実施形態では、水や風の影響によることなく、安定して外側防水シート６０と通気胴縁５６との接着状態を維持することができ、ひいては外側防水シート６０と通気胴縁５６との接着状態を担保することができる。
【００６８】
また、本実施形態では、外側防水シート６０の一端部６０Ａが鋼板役物３８の上壁部３８Ａと断熱材４２とに挟持されることで、当該一端部６０Ａが当該上壁部３８Ａに密着している。このため、本実施形態では、屋根裏４６における建物上方側に水が浸入することを抑制することができる。
【００６９】
また、本実施形態では、断熱材４２の周縁部における入隅部４２Ｄ及び出隅部３６Ｂが内側防水シート６２、７０で覆われることで、入隅部４２Ｄ及び出隅部４２Ｃに吹き溜まりが生じても、入隅部４２Ｄ及び出隅部４２Ｃから屋根裏４６への水の浸入が抑制される。さらに、断熱材４２の周縁部における直線部４２Ｂが外側防水シート６０で覆われると共に、外側防水シート６０が屋外側から見て内側防水シート６２、７０と重なるように配置されることで、通気胴縁５６による通気性が確保される。従って、本実施形態では、屋根部３６の形状に対応して、屋根裏４６の通気性の確保と屋根裏４６の防水性の確保との両立を図ることができる。
【００７０】
また、本実施形態では、内側防水シート６２、７０が成形品とされており、当該内側防水シート６２、７０の形状を断熱材４２の入隅部４２Ｄ及び出隅部４２Ｃの形状に対応させることができる。その結果、本実施形態では、屋根部３６の出隅部３６Ｂ及び入隅部３６Ｃにおいて屋根裏４６の防水性を向上させることができる。
【００７１】
また、本実施形態では、屋根部３６の上方側から鋼板役物３８の側壁部３８Ｂに流れる水が水切り部５４Ａを伝って流れ、当該水切り部５４Ａの建物下方側に設けられた通気口６６から水が浸入するのを抑制することができる。その結果、本実施形態では、建物上方側から流れてくる水の屋根裏４６側への浸入を抑制することができる。
【００７２】
加えて、本実施形態では、陸屋根を構成する鋼板役物３８の側壁部３８Ｂの長手方向に沿って軒樋４８が設けられており、建物１０の意匠性を損なうことなく、屋根部３６の上方側から鋼板役物３８の側壁部３８Ｂに流れる水を排水することができる。その結果、本実施形態では、建物１０の意匠性の確保と建物上方側から流れてくる水の屋根裏４６側への浸入の抑制との両立を図ることができる。
【００７３】
＜上記実施形態の補足説明＞
（１）  上述した実施形態では、外側防水シート６０の一端部６０Ａが、断熱材４２と上壁部３８Ａとに部材を介して挟持された状態となっていたが、これに限らない。すなわち、外側防水シート６０と鋼板役物３８の上壁部３８Ａとの密着性が十分に確保できるのであれば、外側防水シート６０の一端部６０Ａは、断熱材４２と上壁部３８Ａとに直接挟持されるだけであってもよい。このような構成によれば、外側防水シート６０の設置作業を簡略化することができる。
【００７４】
（２）  また、上述した実施形態では、内側防水シート６２、７０が成形品とされていたが、屋根部３６の形状に応じて、帯状の防水シートを現地で加工して内側防水シート６２、７０を製作してもよい。このような構成によれば、作業効率を維持しつつコストを低減することが可能となる。
【符号の説明】
【００７５】
１０      建物
２２      外壁
２２Ａ    上端部
３６      屋根部（屋根）
３８      鋼板役物（屋根板材）
３８Ａ    上壁部
３８Ｂ    側壁部
４２      断熱材（屋根部材）
４２Ｂ    直線部
４２Ｃ    出隅部（隅部）
４２Ｄ    入隅部（隅部）
４４      屋根面
４６      屋根裏
４８      軒樋
５４Ａ    水切り部
５６      通気胴縁
５６Ａ    内面部（通気胴縁の屋内側の面）
５６Ｂ    外面部（通気胴縁の屋外側の面）
５８      通気溝（連通部）
６０      外側防水シート（防水シート）
６０Ａ    一端部
６０Ｂ    他端部
６２      内側防水シート（防水シート）
６６      通気口（通気部）
７０      内側防水シート（防水シート）
【図１】
0006422339.tif 000002
【図２】
0006422339.tif 000003
【図３】
0006422339.tif 000004
【図４】
0006422339.tif 000005
【図５】
0006422339.tif 000006
【図６】
0006422339.tif 000007
【図７】
0006422339.tif 000008
【図８】
0006422339.tif 000009
【図９】
0006422339.tif 000010
【図１０】
0006422339.tif 000011
【図１１】
0006422339.tif 000012